(57)【要約】【課題】意図するユニットと異なるユニットを誤って抜去することを防止すること。【解決手段】基板１７に回動自在に取り付けられたイジェクタ１１Ａ、１１Ｂと、イジェクタ１１Ａ、１１Ｂの回動に連動するスイッチ１２Ａ、１２Ｂと、基板１７への電源を制御する電源制御部１５と、発光素子１３と、電源制御部１５からの信号に応じて発光素子１３の発光状態を制御する発光素子制御部１６と、スイッチ１２Ａ、１２Ｂ及び発光素子制御部１６からの信号に基づいて、所定の信号を電源制御部１５へ出力する論理回路部１４とを備える。論理回路部１４は、発光素子１３を発光させているときの信号が発光素子制御部１６から入力されているときに、スイッチ１２Ａ、１２Ｂのうち一方のみオフの状態となった信号がスイッチ１２Ａ、１２Ｂから入力されても、基板１７への電源を停止させる信号を電源制御部１５へ出力しないように構成されている。【選択図】図１
2007317953.tif 000002
【特許請求の範囲】
【請求項１】
稼動中に筐体装置に対して挿抜可能な電子回路ユニットであって、
電子回路を有するベース基材と、
前記ベース基材に回動自在に取り付けられた第１、第２のイジェクタと、
前記第１、第２のイジェクタの回動に連動するようにして前記ベース基材に取り付けられた第１、第２のスイッチと、
前記ベース基材の前記電子回路への電源を制御する電源制御部と、
前記ベース基材に取り付けられた発光素子と、
前記電源制御部からの信号に応じて前記発光素子の発光状態を制御する発光素子制御部と、
前記第１、第２のスイッチ、及び前記発光素子制御部からの信号に基づいて、所定の信号を前記電源制御部に向けて出力する論理回路部と、
を備え、
前記論理回路部は、前記発光素子を発光させているときの信号が前記発光素子制御部から入力されているときに、前記第１、第２のスイッチのうち一方のみオフの状態となった信号が前記第１、第２のスイッチから入力されても、前記ベース基材の前記電子回路への電源を停止させるための信号を前記電源制御部に向けて出力しないように構成されていることを特徴とする電子回路ユニット。
【請求項２】
前記論理回路部は、前記発光素子を発光させているときの信号が前記発光素子制御部から入力され、かつ、前記第１、第２のスイッチの両方がオフの状態となった信号が前記第１、第２のスイッチから入力されているときに、前記ベース基材の前記電子回路への電源を停止させるための信号を前記電源制御部に向けて出力するように構成されていることを特徴とする請求項１記載の電子回路ユニット。
【発明の詳細な説明】
【技術分野】
【０００１】
本発明は、稼動中に筐体装置に対して挿抜可能な電子回路ユニットに関する。
【背景技術】
【０００２】
稼動中に筐体装置に対して挿抜可能な従来の電子回路ユニットには、抜去の許可／不許可を示すためのＬＥＤ等の表示器が実装されているとともに、挿入／抜去する際に電子回路ユニットが正常に動作することを保障することを目的として電源投入／電源断のシーケンスを行うためのイジェクタおよびスイッチ等の接触検出器が実装されているものがある（例えば、特許文献１参照）。筐体装置と電子回路ユニットとは、コネクタによって電気的かつ機械的に接続されている。
【０００３】
図４を参照すると、電子回路ユニット１１０を筐体装置１２０に挿入した時に、イジェクタ１１１Ａ、１１１ＢをＯＮ、すなわちスイッチ１１２Ａ、１１２ＢをＯＮにすると、基板１１７上の電源制御部１１５で、電源投入時のシーケンスが起動し、シーケンスが完了する。その後、筐体装置１２０と電気的に接続された保守端末１３０から遠隔操作で電子回路ユニット１１０を筐体装置１２０に組み込む指示を出すことで、電子回路ユニット１１０が筐体装置１２０の一部として動作開始することになる。
【０００４】
図５を参照すると、電子回路ユニット１１０を筐体装置１２０から抜去する際、電子回路ユニット１１０を筐体装置１２０に挿入した状態で保守端末１３０から遠隔操作で電子回路ユニット１１０を筐体装置１２０から切り離す指示を出した後に、イジェクタ１１１Ａ、１１１Ｂの一方又は両方をＯＦＦ（図５ではイジェクタ１１１ＡのみＯＦＦ）、すなわちスイッチ１１２Ａ、１１２Ｂの一方又は両方をＯＦＦ（図５ではスイッチ１１２ＡのみＯＦＦ）にすると、基板１１７上の電源制御部１１５で、電源断時のシーケンスが起動し、シーケンスが完了する。その後、電子回路ユニット１１０はいつでも筐体装置１２０から抜去できる状態となる。
【０００５】
なお、イジェクタ１１１Ａ、１１１Ｂは、電子回路ユニット１１０を筐体装置１２０に挿入している途中はＯＦＦ状態となり、電子回路ユニット１１０が筐体装置１２０に実装完了した時点でＯＮ状態にすることが可能となる機構を備えている。また、イジェクタ１１１Ａ、１１１Ｂは、ＯＦＦ状態にしないと電子回路ユニット１１０を筐体装置１２０から抜去することができないような機械的なロック機構も備えている。
【０００６】
ここで、保守等の目的で、稼動中の電子回路ユニット１１０を筐体装置１２０から抜去する手順を示す。まず、保守端末１３０を操作し、遠隔操作で該当する電子回路ユニット１１０の動作を停止させる。この時点で電子回路ユニット１１０に実装されている発光素子１１３が、抜き取り不許可を示す発光状態から、抜き取り許可を示す発光状態へと変化する。次に、電子回路ユニット１１０を抜き取るために、イジェクタ１１１Ａ、１１１ＢをＯＦＦにする。イジェクタ１１１Ａ、１１１ＢをＯＦＦにすることによりスイッチ１１２Ａ、１１２ＢもＯＦＦになり、電子回路ユニット１１０が電気的および物理的に筐体装置１２０から抜去可能な状態となる。このような手順を踏んだ後に、筐体装置１２０から電子回路ユニット１１０を抜去することになる。
【０００７】
【特許文献１】特開平６−２９５２５０号公報
【発明の開示】
【発明が解決しようとする課題】
【０００８】
しかしながら、上記手順では、イジェクタ１１１Ａ、１１１ＢをＯＦＦにする際に、保守者が発光素子１１３の発光状態を見誤るなどした場合に、抜き取り不許可（発光素子１１３が発光状態）である隣の電子回路ユニット１１０のイジェクタをオフにしてしまう可能性がある。従来の電子回路ユニット１１０では、イジェクタ１１１Ａ、１１１ＢをＯＦＦにしてしまった時点で、基板１１７上の電源制御部１１５で電源断のシーケンスが起動してしまい、装置として意図しない動作をすることになる。そのため、保守者には、抜去可能な電子回路ユニット１１０がどれであるか、発光素子１１３の状態から正しく認識し、正しい電子回路ユニット１１０のイジェクタをオフにするという正確さ、すなわち、これら一連の動作に対する１００％の正確さが要求されることになる。
【０００９】
本発明の主な課題は、保守者等が意図するユニットと異なるユニットを誤って抜去することを防止することである。
【課題を解決するための手段】
【００１０】
本発明の視点においては、稼動中に筐体装置に対して挿抜可能な電子回路ユニットであって、電子回路を有するベース基材と、前記ベース基材に回動自在に取り付けられた第１、第２のイジェクタと、前記第１、第２のイジェクタの回動に連動するようにして前記ベース基材に取り付けられた第１、第２のスイッチと、前記ベース基材の前記電子回路への電源を制御する電源制御部と、前記ベース基材に取り付けられた発光素子と、前記電源制御部からの信号に応じて前記発光素子の発光状態を制御する発光素子制御部と、前記第１、第２のスイッチ、及び前記発光素子制御部からの信号に基づいて、所定の信号を前記電源制御部に向けて出力する論理回路部と、を備え、前記論理回路部は、前記発光素子を発光させているときの信号が前記発光素子制御部から入力されているときに、前記第１、第２のスイッチのうち一方のみオフの状態となった信号が前記第１、第２のスイッチから入力されても、前記ベース基材の前記電子回路への電源を停止させるための信号を前記電源制御部に向けて出力しないように構成されていることを特徴とする。
【００１１】
本発明の電子回路ユニットにおいては、前記論理回路部は、前記発光素子を発光させているときの信号が前記発光素子制御部から入力され、かつ、前記第１、第２のスイッチの両方がオフの状態となった信号が前記第１、第２のスイッチから入力されているときに、前記ベース基材の前記電子回路への電源を停止させるための信号を前記電源制御部に向けて出力するように構成されていることが好ましい。
【発明の効果】
【００１２】
本発明（請求項１、２）によれば、保守者が動作中の電子回路ユニットのイジェクタの一方を誤ってＯＦＦしても、電子回路ユニットの動作は停止せず、筐体装置の動作が意図しないものになってしまうことを防ぐことができる。また、発光素子の点灯状態を通し、保守者自身も誤った電子回路ユニットのイジェクタを操作していることが分かるようになる。さらに、イジェクタの両方を誤ってＯＦＦにして誤った電子回路ユニットを抜去してしまう際には、電源制御部にて電源断のシーケンスが必ず起動するので、筐体装置と電子回路ユニットに悪影響を与えることがなく、安全性が確保される。
【発明を実施するための最良の形態】
【００１３】
（実施形態１）
本発明の実施形態１に係る電子回路ユニットについて図面を用いて説明する。図１は、本発明の実施形態１に係る電子回路ユニットを筐体装置に実装した状態の構成を示した模式図である。図２は、本発明の実施形態１に係る電子回路ユニットの構成を示した模式図である。図３は、本発明の実施形態１に係る電子回路ユニットの論理回路部における信号線の状態の組合せを示した表である。
【００１４】
電子回路ユニット１０は、稼動中に筐体装置２０に対して挿抜可能な電子回路を有するユニットである。電子回路ユニット１０は、イジェクタ１１Ａ、１１Ｂと、スイッチ１２Ａ、１２Ｂと、発光素子１３と、論理回路部１４と、電源制御部１５と、発光素子制御部１６と、基板１７と、コネクタ部１８と、を有する。なお、実施形態１に係る電子回路ユニット１０は、論理回路部１４の構成が従来例に係る電子回路ユニット（図４の１１０）と異なる。実施形態１に係る電子回路ユニット１０のその他の構成については、従来例に係る電子回路ユニット（図４の１１０）と同様である。また、図１では、電子回路ユニット１０は、基板１７をベース基材とした構成であるが、基板１７の持つ特徴を全て保持しているのであれば、特に基板１７に限定される必要はなく、器具や道具等をベース基材としてもよい。
【００１５】
イジェクタ１１Ａ、１１Ｂは、回動自在に基板１７に取り付けられたレバー状の部材である。イジェクタ１１Ａ、１１Ｂは、電子回路ユニット１０を筐体装置２０に挿抜する際に用いられる。イジェクタ１１Ａ、１１Ｂは、それぞれ基板１７の別々の角部近傍に配されている。イジェクタ１１Ａ、１１Ｂは、電子回路ユニット１０を筐体装置２０に実装した状態では筐体装置２０の挿抜口付近に配されることになる。イジェクタ１１Ａ、１１Ｂは、イジェクタ１１Ａ、１１Ｂの先端部が基板１７の端部に近い位置にあるときにＯＮとなり、回動してイジェクタ１１Ａ、１１Ｂの先端部が基板１７の端部からに離れた位置にあるときにＯＦＦとなる。イジェクタ１１Ａが回動するとスイッチ１２Ａが連動する。イジェクタ１１Ｂが回動するとスイッチ１２Ｂが連動する。イジェクタ１１Ａ、１１Ｂは、ＯＦＦ状態にしないと電子回路ユニット１０を筐体装置２０から抜去することができないような機械的なロック機構も有する。
【００１６】
スイッチ１２Ａ、１２Ｂは、ＯＮ／ＯＦＦスイッチである。スイッチ１２Ａ、１２Ｂは、それぞれイジェクタ１１Ａ、１１Ｂの回動に連動するように基板に実装されている。スイッチ１２Ａ、１２Ｂは、それぞれイジェクタ１１Ａ、１１ＢがＯＮとなったときにＯＮとなり、それぞれイジェクタ１１Ａ、１１ＢがＯＦＦとなったときにＯＦＦとなる。スイッチ１２Ａは、抵抗を介して電源Ｖｃｃと電気的に接続されるとともに、接地と電気的に接続され、信号線ＳＩＧ１を介して論理回路部１４と電気的に接続されている。スイッチ１２Ａは、ＯＮ状態のときに信号線ＳＩＧ１と電源Ｖｃｃを接続して信号線ＳＩＧ１からＨＩ信号（１）を出力し、ＯＦＦ状態のときに信号線ＳＩＧ１と接地を接続して信号線ＳＩＧ１からＬＯ信号（０）を出力する。スイッチ１２Ｂは、抵抗を介して電源Ｖｃｃと電気的に接続されるとともに、接地と電気的に接続され、信号線ＳＩＧ２を介して論理回路部１４と電気的に接続されている。スイッチ１２Ｂは、ＯＮ状態のときに信号線ＳＩＧ２と電源Ｖｃｃを接続して信号線ＳＩＧ２からＨＩ信号（１）を出力し、ＯＦＦ状態のときに信号線ＳＩＧ２と接地を接続して信号線ＳＩＧ２からＬＯ信号（０）を出力する。なお、スイッチ１２Ａ、１２Ｂは、図１ではレバー型のスイッチとなっているが、イジェクタ１１Ａ、１１Ｂの構成に応じてプッシュ型のスイッチとしてもよい。
【００１７】
発光素子１３は、ＬＥＤ等の発光素子である。発光素子１３は、電子回路ユニット１０が筐体装置２０に組み込まれている場合と、そうでない場合の区別が目視できるように、イジェクタ１１Ａとイジェクタ１１Ｂの間であって基板１７の端部近傍に実装されている。発光素子１３は、電子回路ユニット１０を筐体装置２０に実装した状態では筐体装置２０の挿抜口付近に配されることになる。発光素子１３は、一端が接地と電気的に接続されるとともに、他端が信号線ＳＩＧ５を介して発光素子制御部１６と電気的に接続され、当該他端が信号線ＳＩＧ５及び抵抗を介して電源Ｖｃｃに電気的に接続されている。発光素子１３は、信号線ＳＩＧ５の信号がＨＩ信号（１）のときに点灯し、信号線ＳＩＧ５の信号がＬＯ信号（０）のときに消灯する。
【００１８】
論理回路部１４は、ＡＮＤ回路及びＯＲ回路等の論理回路が組み合わされた電子回路である。論理回路部１４は、半導体集積回路（図示せず）の一部として基板１７に実装されている。論理回路部１４は、信号線ＳＩＧ１を介してスイッチ１２Ａと電気的に接続されるとともに、信号線ＳＩＧ２を介してスイッチ１２Ｂと電気的に接続され、信号線ＳＩＧ５を介して発光素子１３及び発光素子制御部１６と電気的に接続され（信号線ＳＩＧ５及び抵抗を介して電源Ｖｃｃに電気的に接続され）、信号線ＳＩＧ３を介して電源制御部１５に電気的に接続されている。論理回路部１４は、信号線ＳＩＧ１、ＳＩＧ２、ＳＩＧ５から入力された信号に基づいて所定の信号を信号線ＳＩＧ３から出力する（図３参照）。論理回路部１４は、（Ａ）ＳＩＧ１、ＳＩＧ２、ＳＩＧ５がＬＯ信号（０）のときにＳＩＧ３からＬＯ信号（０）を出力し、（Ｂ）ＳＩＧ１、ＳＩＧ２がＬＯ信号（０）、かつ、ＳＩＧ５がＨＩ信号（１）のときにＳＩＧ３からＬＯ信号（０）を出力し、（Ｃ）ＳＩＧ１、ＳＩＧ５がＬＯ信号（０）、かつ、ＳＩＧ２がＨＩ信号（１）のときにＳＩＧ３からＬＯ信号（０）を出力し、（Ｄ）ＳＩＧ１がＬＯ信号（０）、かつ、ＳＩＧ２、ＳＩＧ５がＨＩ信号（１）のときにＳＩＧ３からＨＩ信号（１）を出力し、（Ｅ）ＳＩＧ２、ＳＩＧ５がＬＯ信号（０）、かつ、ＳＩＧ１がＨＩ信号（１）のときにＳＩＧ３からＬＯ信号（０）を出力し、（Ｆ）ＳＩＧ２がＬＯ信号（０）、かつ、ＳＩＧ１、ＳＩＧ５がＨＩ信号（１）のときにＳＩＧ３からＨＩ信号（１）を出力し、（Ｇ）ＳＩＧ５がＬＯ信号（０）、かつ、ＳＩＧ１、ＳＩＧ２がＨＩ信号（１）のときにＳＩＧ３からＨＩ信号（１）を出力し、（Ｈ）ＳＩＧ１、ＳＩＧ２、ＳＩＧ５がＨＩ信号（１）のときにＳＩＧ３からＨＩ信号（１）を出力する。なお、信号線ＳＩＧ３におけるＬＯ信号（０）は、電源制御部１５にて基板１７の電子回路（図示せず）への電源を停止させるための信号となる。また、信号線ＳＩＧ３におけるＨＩ信号（１）は、電源制御部１５にて基板１７の電子回路（図示せず）へ電源を供給させるための信号となる。
【００１９】
電源制御部１５は、基板１７上の電子回路（図示せず）の電力（電源）を制御する電子回路である。電源制御部１５は、半導体集積回路（図示せず）の一部として基板１７に実装されている。電源制御部１５は、信号線ＳＩＧ３を介して論理回路部１４と電気的に接続されており、信号線ＳＩＧ４を介して発光素子制御部１６と電気的に接続されている。電源制御部１５は、信号線ＳＩＧ３からＨＩ信号（１）が入力されたときに、電源投入時のシーケンスが起動し、基板１７の電子回路（図示せず）が動作可能な状態に制御する。電源制御部１５は、電源投入時のシーケンスの起動が完了した後、保守端末３０からの遠隔操作により電子回路ユニット１０を筐体装置２０に組み込む指示を受けることで、電子回路ユニット１０が筐体装置２０の一部として動作可能な状態にするように制御し、信号線ＳＩＧ４からＨＩ信号（１）を出力する。電源制御部１５は、信号線ＳＩＧ３の信号がＬＯ状態（０）として入力されることで、電源断時のシーケンスが起動し、基板１７の電子回路（図示せず）の動作を停止状態にする。電源制御部１５は、信号線ＳＩＧ３の信号がＨＩ（１）の時に、保守端末３０からの遠隔操作により電子回路ユニット１０を筐体装置２０から切り離す指示を受けることで、電子回路ユニット１０を筐体装置２０から抜去可能な状態に制御し、信号線ＳＩＧ４からＬＯ信号（０）を出力するようになる。
【００２０】
発光素子制御部１６は、発光素子１３の点灯状態を制御する電子回路である。発光素子制御部１６は、半導体集積回路（図示せず）の一部として基板１７に実装されている。発光素子制御部１６は、信号線ＳＩＧ４を介して電源制御部１５と電気的に接続されており、信号線ＳＩＧ５を介して発光素子１３及び論理回路部１４と電気的に接続されており、信号線ＳＩＧ５及び抵抗を介して電源Ｖｃｃと電気的に接続されている。発光素子制御部１６は、信号線ＳＩＧ４からＨＩ信号（１）が入力されたときに信号線ＳＩＧ５の信号をＨＩ信号（１）となるように制御し、信号線ＳＩＧ４からＬＯ信号（０）が入力されたときに信号線ＳＩＧ５の信号をＬＯ信号（０）となるように制御する。
【００２１】
基板１７は、プリント配線基板である。基板１７には、各種電子部品が実装されている。基板１７は、筐体装置２０内に収納されているときに、筐体装置２０にスライド可能に支持される。基板１７は、イジェクタ１１Ａ、１１Ｂを共にＯＦＦにすることで、筐体装置２０から抜去することができる。
【００２２】
コネクタ部１８は、筐体装置２０のコネクタ２１と電気的かつ機械的に接続するための部分である。コネクタ部１８は、基板１７の一部分であってもよくコネクタ部品であってもよい。
【００２３】
筐体装置２０は、筐体にコネクタ２１及びその他の電子部品（図示せず）を実装した装置である。筐体装置２０は、複数の電子回路ユニット１０を挿抜可能に収納する。筐体装置２０は、ケーブル等の配線部材を介して保守端末３０と電気的に接続されている。
【００２４】
保守端末３０は、ケーブル等の配線部材を介して筐体装置２０と電気的に接続される保守用のコンピュータ端末である。保守端末３０は、オンライン操作に応じて、電子回路ユニット１０を筐体装置２０から論理的に切り離したり運転状態にしたりすることができる。
【００２５】
次に、本発明の実施形態１に係る電子回路ユニットの動作について説明する。ここでは、従来例（図４参照）と比較しながら説明する。
【００２６】
まず、電子回路ユニット１０が筐体装置２０に実装されており、運転状態にあるとする。この時、イジェクタ１１Ａ及びイジェクタ１１Ｂの一方又は両方を、誤ってＯＦＦにしてしまったと考える。
【００２７】
従来例（図４参照）の電子回路ユニット１１０では、スイッチ１１２Ａ又はスイッチ１１２ＢがＯＦＦになると、信号線ＳＩＧ１又は信号線ＳＩＧ２がＬＯ信号となるので、論理回路部１１４により信号線ＳＩＧ３がＬＯ信号（０）となる（図６参照）。すなわち、イジェクタ１１１Ａ又はイジェクタ１１１Ｂを上げると、この変化を電源制御部１１５が検出し、基板１１７の電子回路（図示せず）が動作を停止する。
【００２８】
実施形態１（図２参照）の電子回路ユニット１０では、動作状態を示す信号線ＳＩＧ５がＬＯ信号（０）であれば、従来例の電子回路ユニットと同様に、スイッチ１２Ａ又はスイッチ１２ＢがＯＦＦになると、信号線ＳＩＧ１又は信号線ＳＩＧ２がＬＯ信号（０）となるので、論理回路部１４により信号線ＳＩＧ３がＬＯ信号（０）となる（図３参照）。
【００２９】
一方、実施形態１の電子回路ユニット１０では、信号線ＳＩＧ５がＨＩ信号（１）であれば、イジェクタ１１Ａ又はイジェクタ１１ＢがＯＦＦになって信号線ＳＩＧ１又は信号線ＳＩＧ２がＬＯ信号（０）となっても、論理回路部１４により信号線ＳＩＧ３がＨＩ信号（１）のままとなる（図３参照）。すなわち、基板１７が動作中である時に、イジェクタ１１Ａ又はイジェクタ１１Ｂを上げても、この変化を電源制御部１５が検出せず、基板１７の電子回路（図示せず）が動作を継続することになる。
【００３０】
また、実施形態１の電子回路ユニット１０では、信号線ＳＩＧ５がＨＩ信号（１）であり、イジェクタ１１Ａ及びイジェクタ１１ＢがＯＦＦになって信号線ＳＩＧ１及び信号線ＳＩＧ２がＬＯ信号（０）となった場合には、論理回路部１４により信号線ＳＩＧ３がＬＯ信号（０）となる。すなわち、基板１７が動作中である時に、イジェクタ１１Ａ及びイジェクタ１１Ｂの両方を上げた場合には、この変化を電源制御部１５が検出し、基板１７の電子回路（図示せず）の動作を停止することになる。
【００３１】
実施形態１によれば、保守者が動作中の電子回路ユニット１０のイジェクタ１１Ａ又はイジェクタ１１Ｂを誤ってＯＦＦしても、電子回路ユニット１０の動作は停止せず、筐体装置２０の動作が意図しないものになってしまうことを防ぐことができるようになる。つまり、実施形態１によれば、従来例の電子回路ユニットのように２つのイジェクタの一方をオフにした時点で、誤ったユニットか正しいユニットかに関係なく、電子回路ユニットの動作が停止することがない。
【００３２】
また、実施形態１によれば、発光素子１３の点灯状態を通し、保守者自身も誤った電子回路ユニット１０のイジェクタ１１Ａ、１１Ｂを操作していることが分かるようになるため、従来例の電子回路ユニットのように保守端末と筐体装置の間を往復して確認した結果、はじめて誤った電子回路ユニットを抜いたことが分かるという、煩わしさがなくなる。
【００３３】
さらに、実施形態１によれば、誤った電子回路ユニット１０のイジェクタ１１Ａ及びイジェクタ１１Ｂの誤操作だけに留まらず、イジェクタ１１Ａ及びイジェクタ１１Ｂの両方を誤ってＯＦＦにして誤った電子回路ユニット１０を抜去してしまう際には、電源制御部１５にて電源断のシーケンスが必ず起動するので、筐体装置２０と電子回路ユニット１０に悪影響を与えることがない。
【図面の簡単な説明】
【００３４】
【図１】本発明の実施形態１に係る電子回路ユニットを筐体装置に実装した状態の構成を示した模式図である。
【図２】本発明の実施形態１に係る電子回路ユニットの構成を示した模式図である。
【図３】本発明の実施形態１に係る電子回路ユニットの論理回路部における信号線の状態の組合せを示した表である。
【図４】従来例に係る電子回路ユニットを筐体装置に実装した状態であって動作時の状態の構成を示した模式図である。
【図５】従来例に係る電子回路ユニットを筐体装置に実装した状態であって動作停止時の状態の構成を示した模式図である。
【図６】従来例に係る電子回路ユニットの論理回路部における信号線の状態の組合せを示した表である。
【符号の説明】
【００３５】
１０、１１０  電子回路ユニット
１１Ａ、１１Ｂ、１１１Ａ、１１１Ｂ  イジェクタ
１２Ａ、１２Ｂ、１１２Ａ、１１２Ｂ  スイッチ
１３、１１３  発光素子
１４、１１４  論理回路部
１５、１１５  電源制御部
１６、１１６  発光素子制御部
１７、１１７  基板
１８、１１８  コネクタ部
２０、１２０  筐体装置
２１、１２１  コネクタ
３０、１３０  保守端末
Ｖｃｃ  電源
ＳＩＧ１、ＳＩＧ２、ＳＩＧ３、ＳＩＧ４、ＳＩＧ５  信号線
【図１】
2007317953.tif 000003
【図２】
2007317953.tif 000004
【図３】
2007317953.tif 000005
【図４】
2007317953.tif 000006
【図５】
2007317953.tif 000007
【図６】
2007317953.tif 000008